(57)【特許請求の範囲】
【請求項１】
光学的特性が散乱状態とほぼ透明状態との二状態に電気的に選択設定される透過型スクリーンと、該透過型スクリーンの背面に情報映像を投影する投影手段と、前記透過型スクリーンの表面に近接配設され、書込媒体による情報の書込と書込まれた情報の消去とが行なわれる書込面と、前記透過型スクリーンの背面から撮影を行なう撮影手段と、前記投影手段の投影光の遮光を行なう遮光制御手段を有する書込み可能な表示装置であって、
情報映像を投影若しくは前記書込面に書込みにより形成される表示媒体を撮影する第１のモード、前記透過型スクリーンの表面側に配設される被写情報体を撮影する第２のモード、情報映像を投影若しくは前記表示媒体を撮影、及び前記透過型スクリーンの表面側の被写体の動画像を撮影する第３のモードの内の少なくとも二つのモードを備え、前記第１のモードでは、前記透過型スクリーンを全面散乱状態に設定し、前記第２のモードでは、前記透過型スクリーンの少なくとも一部をほぼ透明状態に設定し、前記第３のモードでは、前記透過型スクリーンに対して、前記全面散乱状態と前記少なくとも一部の透明状態とを、所定の間隔で切り換え設定する制御手段を、さらに有することを特徴とする書込み可能な表示装置。
【請求項２】
光学的特性が散乱状態とほぼ透明状態との二状態に電気的に選択設定される透過型スクリーンと、該透過型スクリーンの背面に情報映像を投影する投影手段と、前記透過型スクリーンの表面に近接配設され、書込媒体による情報の書込と書込の消去とが行なわれる書込面と、外部から導入され、前記透過型スクリーンの背面から撮影を行なう撮影手段が、設置固定される撮影手段設置固定手段と、前記投影手段の投影光の遮光を行なう遮光制御手段を有する書込み可能な表示装置であって、
情報映像を投影若しくは前記書込面に書込みにより形成される表示媒体を撮影する第１のモード、前記透過型スクリーンの表面側に配設される被写情報体を撮影する第２のモード、情報映像を投影若しくは前記表示媒体を撮影、及び前記透過型スクリーンの表面側の被写体の動画像を撮影する第３のモードの内の少なくとも二つのモードを備え、前記第１のモードでは、前記透過型スクリーンを全面散乱状態に設定し、前記第２のモードでは、前記透過型スクリーンの少なくとも一部をほぼ透明状態に設定し、前記第３のモードでは、前記透過型スクリーンに対して、前記全面散乱状態と前記少なくとも一部の透明状態とを、所定の間隔で切り換え設定する制御手段を、さらに有することを特徴とする書込み可能な表示装置。
【請求項３】
光学的特性が散乱状態とほぼ透明状態との二状態に電気的に選択設定される透過型スクリーンと、外部から導入され、前記透過型スクリーンの背面へ情報映像を投影する投影手段が、設置固定される投影手段設置固定手段と、前記透過型スクリーンの表面に近接配設され、書込媒体による情報の書込と書込の消去とが行なわれる書込面と、前記透過型スクリーンの背面から撮影する撮影手段と、前記投影手段の投影光の遮光を行なう遮光制御手段を有する書込み可能な表示装置であって、
情報映像を投影若しくは前記書込面に書込みにより形成される表示媒体を撮影する第１のモード、前記透過型スクリーンの表面側に配設される被写情報体を撮影する第２のモード、情報映像を投影若しくは前記表示媒体を撮影、及び前記透過型スクリーンの表面側の被写体の動画像を撮影する第３のモードの内の少なくとも二つのモードを備え、前記第１のモードでは、前記透過型スクリーンを全面散乱状態に設定し、前記第２のモードでは、前記透過型スクリーンの少なくとも一部をほぼ透明状態に設定し、前記第３のモードでは、前記透過型スクリーンに対して、前記全面散乱状態と前記少なくとも一部の透明状態とを、所定の間隔で切り換え設定する制御手段を、さらに有することを特徴とする書込み可能な表示装置。
【請求項４】
光学的特性が散乱状態とほぼ透明状態との二状態に電気的に選択設定される透過型スクリーンと、外部から導入され、前記透過型スクリーンの背面へ情報映像を投影する投影手段が、設置固定される投影手段設置固定手段と、前記透過型スクリーンの表面に近接配設定され、書込媒体による情報の書込と書込の消去とが行なわれる書込面と、外部から導入され、前記透過型スクリーンの背面から撮影する撮影手段が、設置固定される撮影手段設置固定手段と、前記投影手段の投影光の遮光を行なう遮光制御手段を有する書込み可能な表示装置であって、
情報映像を投影若しくは前記書込面に書込みにより形成される表示媒体を撮影する第１のモード、前記透過型スクリーンの表面側に配設される被写情報体を撮影する第２のモード、情報映像を投影若しくは前記表示媒体を撮影、及び前記透過型スクリーンの表面側の被写体の動画像を撮影する第３のモードの内の少なくとも二つのモードを備え、前記第１のモードでは、前記透過型スクリーンを全面散乱状態に設定し、前記第２のモードでは、前記透過型スクリーンの少なくとも一部をほぼ透明状態に設定し、前記第３のモードでは、前記透過型スクリーンに対して、前記全面散乱状態と前記少なくとも一部の透明状態とを、所定の間隔で切り換え設定する制御手段を、さらに有することを特徴とする書込み可能な表示装置。
【請求項５】
請求項１〜４の何れか１項に記載の書込み可能な表示装置において、前記撮影手段によって撮影を行う場合に、前記遮光制御手段により前記投影手段の投影光の遮光を行うことを特徴とする書込み可能な表示装置。
【発明の詳細な説明】
【０００１】
【発明の属する技術分野】
本発明は、テレビ会議システムに最適な書込み可能な表示装置に関する。
【０００２】
【従来の技術】
表示装置に表示される情報映像に基づいて、参加者が議論と検討を行い、必要に応じて、参加者が、表示装置に表示される情報映像に重畳して、記入情報を書込むことにより、さらに検討会議を進行させる表示装置が使用されており、この種の表示装置を利用して遠隔地間でテレビ会議システムを構成することも行なわれている。
この種の表示装置に関連する技術としては、特公平７−４６１９８号公報には、前面にプリント領域の指定枠が書込まれる透明部材を備えた透過型スクリーンに対して投影される投影画像を、読取手段の走査によつて読取り、読み取った投影画像をプリントするリーダプリンタが開示されている。
また、特開２０００−１０８９５６号公報には、スクリーン上に結像した画像を、筐体内部からカメラで撮影する場合に、スクリーンの背面に散乱反射素材を含むスクリーンカバーを配置し、且つスクリーン以外の壁面を遮光性素材で形成することにより、外部環境光の影響なしに、且つスクリーン上での鏡面反射光のカメラへの入射を防止して、高精度の画像撮影が可能な背面投写型映像表示システムが開示されている。
【０００３】
一方、特開２００１−７５１２９号公報には、スクリーンの背面側にカメラを配置し、このカメラの前面には、プロジェクタの投光と直交する方向への偏光を行なう偏光板を配置し、この偏光板を介して、スクリーン前面側の利用者を撮影し、テレビ会議システムへの適用に際して、遠隔地の利用者同士の目線を合わせる表示撮影装置が開示されている。また、特開平１１−３５５７４２号公報には、透過型の透明なホログラムフィルムで構成されるスクリーンによって、プロジェクタからの投影画像が表示され、且つカメラによってスクリーンを通して利用者が撮影される画像入出力システムにおいて、スクリーンへの投影画像の投影時に、スクリーンの特性に応じて発生する反射光と妨害光を、反射光処理回路と妨害光処理回路での差分処理により除去し、高品位の画像を取得する技術が開示されている。
【０００４】
【発明が解決しようとする課題】
ところで、この種の装置においては、情報映像が投影表示されるスクリーンに対して、利用者がペンなどで簡単に記入情報を書込めることが望ましいが、前述の各公報には対応する技術の開示はなく、現在利用されている装置では、専用の特殊なペンが必要であったり、モード変更の煩雑な操作を行なわねばならないという問題がある。一方で、通常のホワイトボードにプロジェクタで情報映像を投影し、ホワイトボードに書込まれた記入情報をディジタルカメラで撮影して取込む方法が提案されているが、この方法では、プロジェクタ、ディジタルカメラ、ホワイトボードの位置合わせが難しいのが難点である。さらに、このような検討会議の途中で、検討テーマに関連する文書原稿を、その場でパーソナルコンピュータに読み込み、スクリーンに表示して、参加者に文書原稿を共有させることが望まれるが、これに関連する技術も前述の各公報には開示されていない。これに対して現在の装置では、スキャナ装置を別途用意しなくてはならず、手間やスペースの問題と共に、スキャナ装置の操作により、検討会議が中断して雰囲気の盛り上がりが阻害されるという問題がある。
【０００５】
本発明は、前述したようなこの種の表示装置の現状に鑑みてなされたものであり、その目的は、情報映像が表示されるスクリーンに対して、利用者がペンなどで簡単に記入情報の書込や消去を行なうことができ、スクリーンの前面の被写体の撮影データをその場で迅速に取得することができ、スクリーン上の表示画像と、スクリーン前面の被写体の動画像とを同時に撮影することができ、テレビ会議システムに最適な、書込み可能な表示装置を提供することにある。
【０００６】
【課題を解決するための手段】
前記目的を達成するために、請求項１記載の発明は、光学的特性が散乱状態とほぼ透明状態との二状態に電気的に選択設定される透過型スクリーンと、該透過型スクリーンの背面に情報映像を投影する投影手段と、前記透過型スクリーンの表面に近接配設され、書込媒体による情報の書込と書込まれた情報の消去とが行なわれる書込面と、前記透過型スクリーンの背面から撮影を行なう撮影手段と、前記投影手段の投影光の遮光を行なう遮光制御手段を有する書込み可能な表示装置であって、情報映像を投影若しくは前記書込面に書込みにより形成される表示媒体を撮影する第１のモード、前記透過型スクリーンの表面側に配設される被写情報体を撮影する第２のモード、情報映像を投影若しくは前記表示媒体を撮影、及び前記透過型スクリーンの表面側の被写体の動画像を撮影する第３のモードの内の少なくとも二つのモードを備え、前記第１のモードでは、前記透過型スクリーンを全面散乱状態に設定し、前記第２のモードでは、前記透過型スクリーンの少なくとも一部をほぼ透明状態に設定し、前記第３のモードでは、前記透過型スクリーンに対して、前記全面散乱状態と前記少なくとも一部の透明状態とを、所定の間隔で切り換え設定する制御手段を、さらに有することを特徴とする書込み可能な表示装置である。
【０００７】
このような手段によると、透過型スクリーンの光学的特性が、散乱状態とほぼ透明状態との二状態に電気的に選択設定されるので、透過型スクリーンを散乱状態に選択設定し、投影手段によって情報映像を透過型スクリーンの背面に投影表示させ、利用者が、表示される情報映像に基づき、透過型スクリーンの表面に近接配設された書込面に対して、書込媒体によって記入情報を書込み、また消去することにより、簡単に情報映像に対して記入情報が書込み追加され、撮影手段によって、透過型スクリーンの背面から撮影を行なうことにより、情報映像と記入情報の撮影データが簡単に取得され、情報映像と記入情報からなる検討履歴情報が保管され、或いは、テレビ会議の参考画像データとして、遠隔地の相手端末に伝送される。また、遮光制御手段によって投影手段の投影光の遮光で情報映像の投影が停止されるので、透過型スクリーンが高透明度に設定され、且つ投影手段の次回の投影動作が迅速に行なわれる。さらに、情報映像を投影若しくは書込面に書込みにより形成される表示媒体を撮影する第１のモード、透過型スクリーンの表面側に配設される被写情報体を撮影する第２のモード、表示媒体、及び透過型スクリーンの表面側の被写体の動画像を撮影する第３のモードの内の少なくとも二つのモードを具備しており、制御手段によって、第１のモードでは、透過型スクリーンは全面散乱状態に設定され、第２のモードでは、透過型スクリーンの少なくとも一部がほぼ透明状態に設定され、第３のモードでは、透過型スクリーンに対して、全面散乱状態と少なくとも一部の透明状態とが、所定の間隔で切り換え設定されるので、上記の作用が、制御手段の制御によって自動的に円滑に行なわれる。
【０００８】
また、透過型スクリーンをほぼ透明状態に選択設定し、書込面の前面側に配置される原稿などの被写物を、撮影手段によって、透過型スクリーンの背面から撮影することにより、迅速簡単に被写物のコピーが作成され、或いは、利用者による書込面のポインティング位置が検出され、作成したコピーデータや検出したポインティング位置データは保管され、或いはテレビ会議の参考画像データとして、遠隔地の相手端末に伝送される。
【０００９】
さらに、透過型スクリーンを透明状態と散乱状態とに所定の時間間隔で交互に選択し、透明状態では投影手段の情報映像の投影を停止して、透過型スクリーンの背面側から、撮影手段によって、書込面の前面側の利用者や参加者を被写体として撮影を行い、散乱状態では、投影手段によって情報映像を透過型スクリーンの背面に投影し、透過型スクリーンの背面側から、撮影手段によって、情報映像と記入情報とを撮影することにより、情報映像、記入情報及び被写体の動画像を含むテレビ会議画像データが取得保管され、或いは、テレビ会議画像データは遠隔地の相手端末に伝送される。
【００１０】
同様に前記目的を達成するために、請求項２記載の発明は、光学的特性が散乱状態とほぼ透明状態との二状態に電気的に選択設定される透過型スクリーンと、該透過型スクリーンの背面に情報映像を投影する投影手段と、前記透過型スクリーンの表面に近接配設され、書込媒体による情報の書込と書込の消去とが行なわれる書込面と、外部から導入され、前記透過型スクリーンの背面から撮影を行なう撮影手段が、設置固定される撮影手段設置固定手段と、前記投影手段の投影光の遮光を行なう遮光制御手段を有する書込み可能な表示装置であって、情報映像を投影若しくは前記書込面に書込みにより形成される表示媒体を撮影する第１のモード、前記透過型スクリーンの表面側に配設される被写情報体を撮影する第２のモード、情報映像を投影若しくは前記表示媒体を撮影、及び前記透過型スクリーンの表面側の被写体の動画像を撮影する第３のモードの内の少なくとも二つのモードを備え、前記第１のモードでは、前記透過型スクリーンを全面散乱状態に設定し、前記第２のモードでは、前記透過型スクリーンの少なくとも一部をほぼ透明状態に設定し、前記第３のモードでは、前記透過型スクリーンに対して、前記全面散乱状態と前記少なくとも一部の透明状態とを、所定の間隔で切り換え設定する制御手段を、さらに有することを特徴とする書込み可能な表示装置である。
【００１１】
このような手段によると、請求項１記載の発明での作用に加えて、透過型スクリーンの背面の撮影を行なう撮影手段は、外部から導入されるようになっており、導入された撮影手段が設置固定される撮影手段設置固定手段が設けられているので、目的に応じた性能の撮影手段の選択が行なわれ、必要に応じて撮影手段のコストを削減して、目的に応じた撮影解像度での撮影が行なわれ、テレビ会議システムに適用される場合にも、システムのコストを低減して、適確にテレビ会議が実行される。
【００１２】
同様に前記目的を達成するために、請求項３記載の発明は、光学的特性が散乱状態とほぼ透明状態との二状態に電気的に選択設定される透過型スクリーンと、外部から導入され、前記透過型スクリーンの背面へ情報映像を投影する投影手段が、設置固定される投影手段設置固定手段と、前記透過型スクリーンの表面に近接配設され、書込媒体による情報の書込と書込の消去とが行なわれる書込面と、前記透過型スクリーンの背面から撮影する撮影手段と、前記投影手段の投影光の遮光を行なう遮光制御手段を有する書込み可能な表示装置であって、情報映像を投影若しくは前記書込面に書込みにより形成される表示媒体を撮影する第１のモード、前記透過型スクリーンの表面側に配設される被写情報体を撮影する第２のモード、情報映像を投影若しくは前記表示媒体を撮影、及び前記透過型スクリーンの表面側の被写体の動画像を撮影する第３のモードの内の少なくとも二つのモードを備え、前記第１のモードでは、前記透過型スクリーンを全面散乱状態に設定し、前記第２のモードでは、前記透過型スクリーンの少なくとも一部をほぼ透明状態に設定し、前記第３のモードでは、前記透過型スクリーンに対して、前記全面散乱状態と前記少なくとも一部の透明状態とを、所定の間隔で切り換え設定する制御手段を、さらに有することを特徴とする書込み可能な表示装置である。
【００１３】
このような手段によると、請求項１記載の発明での作用に加えて、透過型スクリーンの背面へ情報映像を投影する投影手段は、外部から導入されるようになっており、導入された投影手段が設置固定される投影手段設置固定手段が設けられているので、目的に応じた性能の投影手段の選択が行なわれ、必要に応じて投影手段のコストを削減して、目的に応じた投影精度での投影が行なわれ、テレビ会議システムに適用される場合にも、システムのコストを低減して、適確にテレビ会議が実行される。
【００１４】
同様に前記目的を達成するために、請求項４記載の発明は、光学的特性が散乱状態とほぼ透明状態との二状態に電気的に選択設定される透過型スクリーンと、外部から導入され、前記透過型スクリーンの背面へ情報映像を投影する投影手段が、設置固定される投影手段設置固定手段と、前記透過型スクリーンの表面に近接配設定され、書込媒体による情報の書込と書込の消去とが行なわれる書込面と、外部から導入され、前記透過型スクリーンの背面から撮影する撮影手段が、設置固定される撮影手段設置固定手段と、前記投影手段の投影光の遮光を行なう遮光制御手段を有する書込み可能な表示装置であって、情報映像を投影若しくは前記書込面に書込みにより形成される表示媒体を撮影する第１のモード、前記透過型スクリーンの表面側に配設される被写情報体を撮影する第２のモード、情報映像を投影若しくは前記表示媒体を撮影、及び前記透過型スクリーンの表面側の被写体の動画像を撮影する第３のモードの内の少なくとも二つのモードを備え、前記第１のモードでは、前記透過型スクリーンを全面散乱状態に設定し、前記第２のモードでは、前記透過型スクリーンの少なくとも一部をほぼ透明状態に設定し、前記第３のモードでは、前記透過型スクリーンに対して、前記全面散乱状態と前記少なくとも一部の透明状態とを、所定の間隔で切り換え設定する制御手段を、さらに有することを特徴とする書込み可能な表示装置である。
【００１５】
このような手段によると、請求項１記載の発明での作用に加えて、透過型スクリーンの背面の撮影を行なう撮影手段と透過型スクリーンの背面へ情報映像を投影する投影手段とは、外部から導入されるようになっており、導入された透過型スクリーンの背面へ情報映像を投影する投影手段が、設置固定される投影手段設置固定手段と、導入された透過型スクリーンの背面を撮影する撮影手段が、設置固定される撮影手段設置固定手段とが設けられているので、目的に応じた投影手段と撮影手段との選択が行なわれ、必要に応じて投影手段と撮影手段とのコストを削減して、目的に応じた投影精度での投影と、撮影解像度での撮影とが行なわれ、テレビ会議システムに適用される場合にも、システムのコストを低減して、適確にテレビ会議が実行される。
【００１８】
同様に前記目的を達成するために、請求項５記載の発明は、請求項１〜４の何れか１項に記載の書込み可能な表示装置において、前記撮影手段によって撮影を行う場合に、前記遮光制御手段により前記投影手段の投影光の遮光を行うことを特徴とするものである。
【００１９】
このような手段によると、請求項１〜４の何れか１項記載の発明での作用に加えて、撮影手段によって撮影を行う場合には、遮光制御手段によって投影手段の投影光の遮光で情報映像の投影が停止される。
【００２０】
【発明の実施の形態】
［第１の実施の形態］
本発明の第１の実施の形態の構成を図１ないし図５を参照して説明する。
図１は本実施の形態の全体構成を示す斜視説明図、図２は本実施の形態の内部構成を示す断面説明図、図３は本実施の形態の構成を示すブロック図、図４は内部照明を備えた本実施の形態の変形構成例を示す断面説明図、図５は本実施の形態に使用される遮光板の構成を示す説明図である。
【００２１】
本実施の形態では、図１に示すように、筐体２の前面の上半部には、情報映像の表示が行なわれる透過型スクリーン１３と、利用者による記入情報の書込が行なわれる透明な書込面１とからなる表示・書込パネルＤが設けられ、この表示・書込パネルＤの側部には、電源スイッチ６、記入情報の読取時に操作される読取スイッチ７、原稿読取時に操作されるコピースイッチ８、ポインティング位置の検出時に操作されるポインティング検出スイッチ９、及び利用者を被写体とする動画像の同時撮影に操作されるビデオ録画スイッチ１０が配列され、さらに、筐体２の前面のほぼ中央位置にはキーボード台３が突出配設され、このキーボード台３上にはキーボード４とマウス５が配置されている。
【００２２】
また、図２（ａ）、（ｂ）に示すように、表示・書込パネルＤは、表面側に配置される書込面１と、その背面に近接配置され、光学特性が散乱状態とほぼ透明状態との二状態に電気的に選択設定される透過型スクリーン１３とで構成されており、この透過型スクリーン１３は、例えばウムフィルム（商品名）により形成配設され、この透過型スクリーン１３に対して、ほぼ４５゜の角度で傾斜対向して反射ミラー１２が配設されている。
さらに、筐体２の内部において、底部近傍には、透過型スクリーン１３の光学特性状態の選択設定を含み、全体の動作を制御する制御ユニット１４、情報映像データの提供を含む各種の動作を行なうパーソナルコンピュータ２１、情報映像データを反射ミラー１２を介し、透過型スクリーン１３の背面に投影するプロジェクタ１１、透過型スクリーン１３の背面の撮影を行なうＣＣＤカメラ１５が配設されている。また、プロジェクタ１１の投影口の近傍に、モータ１６によって回動し、投影口の解放と遮蔽を行なう遮光板１７が配設されている。
この遮光板１７が投影口１１ａを解放して、プロジェクタ１１の投影動作が行なわれる状態が図２（ａ）、図５（ａ）に示され、遮光板１７が投影口１１ａを遮蔽して、プロジェクタ１１の投影動作が停止される状態が図２（ｂ）、図５（ｂ）に示されている。
【００２３】
本実施の形態では、図３に示すように、制御ユニット１４に電源スイッチ６、読取スイッチ７、コピースイッチ８、ポィンディング検出スイッチ９、及びビデオ録画スイッチ１０が接続され、同様にして、制御ユニット１４に、プロジェクタ１１、パーソナルコンピュータ２１、ＣＣＤカメラ１５、透過型スクリーン１３、及び外部とのインタフェース動作を行なう外部インタフェース２２が接続され、さらに、ＣＣＤカメラ１５にパーソナルコンピュータ２１が接続され、パーソナルコンピュータ２１にはプロジェクタ１１が接続されている。
なお、図４は本実施の形態において、筐体２内に原稿読取動作時に照明光を放射する照明１８が設けられた場合の構成を示すものである。
【００２４】
（表示・書込動作）
本実施の形態の表示・書込動作を、図６及び図７を参照して説明する。
図６は本実施の形態の表示・書込動作時における表示面の表示画像を示す動作説明図、図７は本実施の形態の撮影動作を示すタイムチャートである。
【００２５】
本実施の形態においては、パーソナルコンピュータ２１の映像作成操作によって表示映像信号が作成され、或いは、ビデオ端末からの供給映像信号に対応して、パーソナルコンピュータ２１により表示映像信号が作成され、作成された表示映像信号に対応する映像が、光学的特性が散乱状態に選択設定された透過型スクリーン１３を介して、表示・書込パネルＤにおいて表示され、また、利用者によつて、表示・書込パネルＤの書込面１に記入情報の書込が行なわれる。
【００２６】
図６は本実施の形態の表示・書込動作時における表示面の表示画像を示す動作説明図、図７は本実施の形態の撮影動作を示すタイムチャートである。
この表示・書込動作時には、電源スイッチ６が投入されると、制御ユニット１４の指令によって、透過型スクリーン１３の光学的特性が散乱状態に選択設定され、モータ１６は停止状態に設定され、図２（ａ）、図５（ａ）に示すように、遮光板１７によりプロジェクタ１１の投影口１１ａは塞がれず、プロジェクタ１１は投影可能状態に設定される。
この状態で、パーソナルコンピュータ２１の映像作成操作によって表示映像信号が作成され、或いは、ビデオ端末からの供給映像信号に対応して、パーソナルコンピュータ２１により表示映像信号が作成され、制御ユニット１４の制御によって、パーソナルコンピュータ２１で作成された表示映像信号が、プロジェクタ１１に供給される。
そして、制御ユニット１４の指令によつて、プロジェクタ１１から表示映像信号に対応する情報映像が、反射ミラー１２を介して、透過型スクリーン１３の背面に投影され、光学的特性が散乱状態に設定されている透過型スクリーン１３に、情報映像が表示形成され、透過型スクリーン１３の前面側に位置する利用者は、透明な書込面１を介して、図６（ａ）に示すように、表示映像２５を観察することが可能になる。
【００２７】
利用者が、書込面１を通して情報映像２５を観察した結果、得られる意見感想や気付いた訂正個所などがあれば、利用者はマーカや指などの書込媒体によって、書込面１に図６（ｂ）に示すような記入情報２６ａ〜２６ｄを記入する。この利用者の記入によって、書込面１には記入情報２６ａ〜２６ｄに対応するインク物質などの表示媒体がそれぞれ付着形成され、書込面１に記入情報２６ａ〜２６ｄが読取り自在に表示される。
【００２８】
このようにして、表示・書込パネルＤに情報映像２５と、該情報映像２５を読取り検討した利用者によって書込まれる記入情報２６ａ〜２６ｄとが、同時に表示されて表示映像２５に対する検討議論の履歴データが形成される。
この表示・書込パネルＤに書込まれた記入情報２６ａ〜２６ｄを、撮影利用しようとする場合には、利用者により読取スイッチ７が投入されると、制御ユニット１４の指令によつて発せられる図７（ａ）に示す遮光板の開閉信号Ｆ１によつて、モータ１６が回転駆動され、遮光板１７が、図２（ｂ）、図５（ｂ）に示すように、プロジェクタ１１の投影口１１ａを遮蔽する位置まで回動して、プロジェクタ１１の投影動作は停止状態になる。
このために、表示・書込パネルＤには、図６（ｃ）に示すように、書込面１に書込まれた記入情報２６ａ〜２６ｄのみが表示され、この状態で、制御ユニット１４から図７（ｂ）に示すように発せられるＣＣＤカメラの撮影信号Ｆ２で作動するＣＣＤカメラ１５によって、反射ミラー１２を介して、表示・書込パネルＤの記入情報２６ａ〜２６ｄが撮影され、読み取られ、保存される。
【００２９】
このようにして、ＣＣＤカメラ１５により撮影された撮影データは、制御ユニット１４の制御によって、外部インタフェース２２を介して、プリンタに転送されてプリントアウトされ、或いは、制御ユニット１４の制御により作動するパーソナルコンピュータ２１によって、表示・書込パネルＤの透過型スクリーン１３に表示される情報映像２５と合成されてプリントアウトまたは保存される。
また、本実施の形態がテレビ会議システムに適用される場合には、ＣＣＤカメラ１５により撮影され保存された書込面１への記入情報２６ａ〜２６ｄのデータ、或いは、記入情報２６ａ〜２６ｄのデータと表示・書込パネルＤに表示される情報映像２５のデータとの合成映像データは、制御ユニット１４の指令によって、外部インタフェース２２を介して、遠隔地の相手端末に伝送されて相手端末の表示・書込パネルに表示される。
【００３０】
（情報資料読取動作）
本実施の形態の情報資料読取動作を、図８及び図９を参照して説明する。
図８は本実施の形態の原稿読取り動作を示す説明図、図９は本実施の形態の他の撮影動作を示すタイムチャートである。
【００３１】
この動作は、関連情報資料をその場で読取る動作であり、原稿などの関連情報資料の読取りに際しては、利用者によりコピースイッチ８が投入されると、制御ユニット１４の指令によって、表示・書込パネルＤに、図８（ａ）に示すように、原稿を対接配置すべき原稿位置指定画像３２が表示され、利用者が、読取を希望する原稿３１を原稿位置指定画像３２に対接配置することにより、原稿の正確な読取りが行なわれる。
この場合、利用者が再度コピースイッチ８を投入すると、制御ユニット１４の指令によつて、図９（ａ）に示す遮光板の開閉信号Ｆ１が発せられてモータ１６が回動し、遮光板１７が、プロジェクタ１１の投影口１１ａを遮蔽する位置まで回動して、プロジェクタ１１の投影動作は停止状態になり、同時に制御ユニット１４の指令によって、発せられる図９（ｂ）に示すスクリーンの透明設定信号Ｆ３によって、透過型スクリーン１３の光学的特性が透明状態となる。
そして、制御ユニット１４から発せられる図９（ｄ）に示すＣＣＤカメラの撮影信号Ｆ２により作動するＣＣＤカメラ１５によつて、透過型スクリーン１３の背面から原稿３１が撮影され、撮影されたデータは、制御ユニット１４の制御によって、外部インタフェース２２を介して、プリンタに転送されてプリントアウトされ或いは参考資料として保存される。
【００３２】
本実施の形態では、ＣＣＤカメラ１５には、撮影方向を変化させるパンチルト機構とズームレンズが具備されていて、制御ユニット１４によって、パン動作、チルト動作、ズーミング動作が制御され、原稿位置指定画像３２領域が、拡大されて高解像度の撮影が行なわれる。
また、透過型スクリーン１３を透明状態にする場合に、原稿位置指定画像３２とその周辺領域のみを透明状態にすることにより、内部が透けて見苦しい不要な映像が表示されたり、内部照明光が外部に漏れて利用者が眩しさを感ずることが防止できる。
この場合、図４に示すように、筐体２内に照明１８を取り付けた構成にして、図９（ｃ）に示す照明信号Ｆ４によって、照明１８を点灯することにより、プロジェクタ１１からの漏光などによる低照明を改善して、より高品質の原稿３１の読取り撮影を行なうことができる。照明１８の点灯のタイミングは、図９（ｃ）に示す場合に限らず、例えば、透明スクリーン１３の散乱状態から透明状態への変化に対応して、照明１８をＯＦＦからＯＮに変化させてもよい。
【００３３】
また、本実施の形態がテレビ会議システムに適用される場合には、撮影された原稿３１の撮影データは、制御ユニット１４の指令によって、外部インタフェース２２を介して、遠隔地の相手端末に伝送されて相手端末の表示・書込パネルに表示される。
【００３４】
（ポインティング検出動作）
本実施の形態のポインティング検出動作を、図１０及び図１１を参照して説明する。
図１０は本実施の形態の所定間隔での撮影動作を示すタイムチャート、図１１は本実施の形態のポインティング位置検出動作の説明図である。
【００３５】
このポインティング検出動作は、利用者が表示・書込パネルＤの書込面１の所定位置を指や指示バーでポインティングすることにより、指定されるポインティング位置データを制御ユニット１４やパーソナルコンピュータ２１に転送するために、利用者のポインティング位置を検出する動作である。
このポインティング検出動作に際しては、利用者がポインティング検出スイッチ９を投入すると、図１０に示すように、情報映像の表示動作中に、所定時間間隔でプロジェクタ１１を遮光板１７で遮光することにより作成される情報映像の非表示期間において、透過型１３の背面をＣＣＤカメラ１５によって撮影し、得られる連続撮影画像から、ポインティング位置が検出される。この場合、遮光によりプロジェクタ１１に非投影期間を設定するので、電源遮断による場合の再投影までの立ち上がり所要時間を省いて、次回の投影は高速度で行なわれる。
【００３６】
この場合、図１１（ｂ）に示すように利用者がポインティング動作を行なって、ポインティング像３３が形成されたフレームと、このフレームに対して時間が一つ前の同図（ａ）に示すフレームとの差分を取ることにより、同図（ａ）では何も形成されていない領域３７に、同図（ｂ）ではポインティング像３３が検出され、ポインティング位置の検出が行なわれる。ポインティング位置の検出の終了時には、利用者によって再度ポインティング検出スイッチ９が投入される。
【００３７】
そして、検出されたポインティング位置データは、制御ユニット１４或いはパーソナルコンピュータ２１に転送されて保存され、本実施の形態がテレビ会議システムに適用される場合には、検出されたポインティング位置データは、制御ユニット１４の指令によって、外部インタフェース２２を介して、遠隔地の相手端末に伝送されて相手端末の表示・書込パネルに表示される。
【００３８】
（被写体撮影動作）
本実施の形態の被写体撮影動作を図１２を参照して説明する。
図１２は本実施の形態の被写体の撮影動作を示すタイムチャートである。
【００３９】
本実施の形態がテレビ会議システムに適用される場合には、利用者や参加者の動画像を撮影する被写体同時撮影動作が必要となり、この動作に際して、利用者によって録画スイッチ１０が投入されると、制御ユニット１４の指令によって、図１２に示すように、所定時間間隔ごとに、同図（ａ）に示す遮光板の開閉信号Ｆ１によって、プロジェクタ１１の投影動作が停止され、この遮光期間において、制御ユニット１４の指令によって、同図（ｂ）に示す透過型スクリーンの透明設定信号Ｆ３が発せられ、透過型スクリーン１３の光学的特性が所定時間間隔ごとに透明状態となる。
そして、制御ユニット１４から発せられる同図（ｃ）に示すＣＣＤカメラの撮影信号Ｆ２によつて、透過型スクリーン１３の透明状態時に、格別の違和感なしに、透過型スクリーン１３の背面側から、表示・書込パネルＤの前面側に位置する利用者と参加者との動画像の撮影が行なわれる。
【００４０】
このようにして得られた利用者と参加者の動画像の撮影データは、制御ユニット１４の指令によつて、表示・書込パネルＤに表示される情報映像２５及び記入情報と共に、外部インタフェース２２を介して、遠隔地の相手端末に伝送されて相手端末の表示・書込パネルに表示される。
【００４１】
このように、第１の実施の形態によると、制御ユニット１４によって、散乱状態と透過状態とに、光学特性が選択設定される透過型スクリーン１３の表面に、透明な書込面１が配設されて表示・書込パネルＤが形成され、パーソナルコンピュータ２１によって作成される情報映像信号に基づいて、プロジェクタ１１から情報映像が、反射ミラー１２を介して、散乱状態の透過型スクリーン１３の背面に投影されて、表示・書込パネルＤに情報映像が表示され、利用者によって書込面１に記録媒体によって書込情報が書込表示され、簡単な構成で表示書込動作を容易に実行することが可能になる。また、透過型スクリーン１３を散乱状態に設定し、プロジェクタ１１の投影を停止させた状態で、ＣＣＤカメラ１５による透過型スクリーン１３の背面からの撮影により、書込情報を簡単に選択取得できると共に、利用者によるポインティング位置の高精度の検出が可能になる。さらに、透過型スクリーン１３を透明状態に設定した表示・書込パネルＤの書込面１に原稿を対接させて、ＣＣＤカメラ１５による撮影を行なうことにより、原稿のコピーを簡単迅速に行なうことが可能になる。
【００４２】
そして、透過型スクリーン１３の透明状態と散乱状態を所定の時間間隔で繰り返し、透明状態でプロジェクタ１１の投影を停止して、ＣＣＤカメラ１５によって、表示・書込パネルＤの前面側の利用者と参加者の動画像を撮影し、散乱状態でプロジェクタ１１による投影を行い、ＣＣＤカメラ１５によって、書込情報を撮影することにより、テレビ会議システムに適用される場合に、遠隔地の相手端末に伝送されて相手端末の表示・書込パネルに表示されるテレビ会議映像データを取得することが可能になる。
【００４３】
［第２の実施の形態］
本発明の第２の実施の形態を、図１３を参照して説明する。
図１３は本発明の第２の実施の形態の内部構成を示す断面説明図である。
【００４４】
本実施の形態では、すでに図２を参照して説明した第１の実施の形態に対して、図１３に示すように、筐体２の背面に開閉扉３４が取り付けられ、筐体２の底面上にカメラ設置台１９が配設され、ＣＣＤカメラ１５は外部から、解放された開閉扉３４を通して筐体２内に導入配置され、カメラ設置台１９上に調整機構により位置決め設置され固定されるように構成されている。
本実施の形態のその他の部分の構成は、すでに図２を参照して説明した第１の実施の形態と同一なので、重複する説明は行なわない。
【００４５】
本実施の形態では、目的に応じた性能のＣＣＤカメラ１５が選択され、選択されたＣＣＤカメラ１５が、解放された開閉扉３４を通して筐体２内に導入配置され、カメラ設置台１９上に調整機構により位置決め設置され固定されて、各種の動作が実行されるが、その他の動作はすでに説明した第１の実施の形態と同一なので、重複する説明は行なわない。
【００４６】
本実施の形態によると、すでに説明した第１の実施の形態で得られる効果に加えて、ＣＣＤカメラ１５を外部から筐体２内に導入する方式なので、目的に応じた性能のＣＣＤカメラ１５の選択が可能で、必要に応じてＣＣＤカメラ１５のコストを削減して、目的に応じた撮影解像度での撮影が可能になり、テレビ会議システムに適用される場合にも、システムのコストを低減して、適確にテレビ会議を実行することが可能になる。
【００４７】
［第３の実施の形態］
本発明の第３の実施の形態を、図１４を参照して説明する。
図１４は本発明の第３の実施の形態の内部構成を示す断面説明図である。
【００４８】
本実施の形態では、すでに図２を参照して説明した第１の実施の形態に対して、図１４に示すように、筐体２の前面に開閉扉３５が取り付けられ、筐体２の底面上にプロジェクタ設置台２０が配設され、プロジェクタ１１は外部から、解放された開閉扉３５を通じて筐体２内に導入配置され、プロジェクタ設置台２０上に調整機構により位置決め設置され固定されるように構成されている。
本実施の形態のその他の部分の構成は、すでに図２を参照して説明した第１の実施の形態と同一なので、重複する説明は行なわない。
【００４９】
本実施の形態では、目的に応じた性能のプロジェクタ１１が選択され、選択されたプロジェクタ１１が、解放された開閉扉３５を通して筐体２内に導入配置され、プロジェクタ設置台２０上に調整機構により位置決め設置され固定されて、各種の動作が実行されるが、その他の動作はすでに説明した第１の実施の形態と同一なので、重複する説明は行なわない。
【００５０】
本実施の形態によると、すでに説明した第１の実施の形態で得られる効果に加えて、プロジェクタ１１を外部から筐体２内に導入する方式なので、目的に応じた性能のプロジェクタ１１の選択が可能で、必要に応じてプロジェクタ１１のコストを削減して、目的に応じた性能の情報映像の投影が可能になり、テレビ会議システムに適用される場合にも、システムのコストを低減して、適確にテレビ会議を実行することが可能になる。
【００５１】
［第４の実施の形態］
本発明の第４の実施の形態を、図１５を参照して説明する。
図１４は本発明の第４の実施の形態の内部構成を示す断面説明図である。
【００５２】
本実施の形態では、すでに図２を参照して説明した第１の実施の形態に対して、図１５に示すように、書込面１を除去して透明型スクリーン１３の表面に、書込媒体による書込を可能にし、書込や消去時に撓み易い透過型スクリーン１３の背面に、撓みを防止する透明な補強板３６が対接配置されている。
本実施の形態のその他の部分の構成は、すでに説明した第１の実施の形態と同一なので、重複する説明は行なわない。
【００５３】
本実施の形態では、利用者は透過型スクリーン１３の表面に、記録媒体により直接記入情報の書込が行なわれる。
本実施の形態のその他の動作は、すでに説明した第１の実施の形態と同一なので、重複する説明は行なわない。
【００５４】
本実施の形態によると、すでに説明した第１の実施の形態で得られる効果に加えて、透過型スクリーン１３の背面に補強板３６が対接配置されているので、透過型スクリーン１３の表面への記入情報の書込時に、透過型スクリーンが撓むことがなく、記入情報の書込を高精度で行なうことが可能になる。
【００５５】
なお、以上の各実施の形態においては、制御ユニットで全体の動作の制御をする場合について説明したが、本発明は、これらの実施の形態に限定されるものではなく、パーソナルコンピュータによって、全体の動作の制御を行なわせることも可能である。
【００５６】
【発明の効果】
請求項１記載の発明によると、透過型スクリーンの光学的特性が、散乱状態とほぼ透明状態との二状態に電気的に選択設定されるので、透過型スクリーンを散乱状態に選択設定し、投影手段によって情報映像を透過型スクリーンの背面に投影表示させ、利用者が、表示される情報映像に基づき、透過型スクリーンの表面に近接配設された書込面に対して、書込媒体によって記入情報を書込み、また消去することにより、簡単に情報映像に対して記入情報を書込み追加することが可能になり、撮影手段によって、透過型スクリーンの背面から撮影を行なうことにより、情報映像と記入情報の撮影データを簡単に取得することが可能で、情報映像と記入情報からなる検討履歴情報を保管し、或いは、テレビ会議の参考画像データとして、遠隔地の相手端末へ適確に且つ容易に伝送することが可能になる。また、遮光制御手段によって投影手段の投影光の遮光で情報映像の投影が停止されるので、透過型スクリーンが高透明度に設定され、且つ投影手段の次回の投影動作が迅速に行なわれる。
【００５７】
また、透過型スクリーンをほぼ透明状態に選択設定し、書込面の前面側に配置される原稿などの被写物を、撮影手段によって、透過型スクリーンの背面から撮影することにより、迅速簡単に被写物のコピーが作成され、或いは、利用者による書込面のポインティング位置が検出され、作成したコピーデータや検出したポインティング位置データを保管し、或いはテレビ会議の参考画像データとして、遠隔地の相手端末へ適確に且つ容易に伝送することが可能になる。
【００５８】
さらに、透過型スクリーンを透明状態と散乱状態とに所定の時間間隔で交互に選択し、透明状態では投影手段の情報映像の投影を停止して、透過型スクリーンの背面側から、撮影手段によって、書込面の前面側の利用者や参加者を被写体として撮影を行い、散乱状態では、投影手段によって情報映像を透過型スクリーンの背面に投影し、透過型スクリーンの背面側から、撮影手段によって、情報映像と記入情報とを撮影することにより、情報映像、記入情報及び被写体の動画像を含むテレビ会議画像データを取得し、得られたテレビ会議画像データを保管し、或いは遠隔地の相手へ適確に且つ容易に伝送することが可能になる。さらに、情報映像を投影若しくは書込面に書込みにより形成される表示媒体を撮影する第１のモード、透過型スクリーンの表面側に配設される被写情報体を撮影する第２のモード、表示媒体、及び透過型スクリーンの表面側の被写体の動画像を撮影する第３のモードの内の少なくとも二つのモードを具備しており、制御手段によって、第１のモードでは、透過型スクリーンは全面散乱状態に設定され、第２のモードでは、透過型スクリーンの少なくとも一部がほぼ透明状態に設定され、第３のモードでは、透過型スクリーンに対して、全面散乱状態と少なくとも一部の透明状態とが、所定の間隔で切り換え設定されるので、上記の作用が、制御手段の制御によって自動的に円滑に行なわれる。
【００５９】
請求項２記載の発明によると、請求項１記載の発明で得られる効果に加えて、透過型スクリーンの背面から撮影を行なう撮影手段は、外部から導入されるようになっており、導入された撮影手段が設置固定される撮影手段設置固定手段が設けられているので、目的に応じた性能の撮影手段の選択が可能になり、必要に応じて撮影手段のコストを削減して、目的に応じた撮影解像度での撮影を行なうことが可能で、テレビ会議システムに適用される場合にも、システムのコストを低減して、適確にテレビ会議を実行することが可能になる。
【００６０】
請求項３記載の発明によると、請求項１記載の発明で得られる効果に加えて、透過型スクリーンの背面へ情報映像を投影する投影手段は、外部から導入されるようになっており、導入された投影手段が設置固定される投影手段設置固定手段が設けられているので、目的に応じた性能の投影手段の選択が可能になり、必要に応じて投影手段のコストを削減して、目的に応じた投影精度での投影を行なうことが可能で、テレビ会議システムに適用される場合にも、システムのコストを低減して、適確にテレビ会議を実行することが可能になる。
【００６１】
請求項４記載の発明によると、請求項１記載の発明で得られる効果に加えて、透過型スクリーンの背面から撮影を行なう撮影手段と透過型スクリーンの背面へ情報映像を投影する投影手段とは、外部から導入されるようになっており、導入された透過型スクリーンの背面へ情報映像を投影する投影手段が、設置固定される投影手段設置固定手段と、導入された透過型スクリーンの背面から撮影する撮影手段が、設置固定される撮影手段設置固定手段とが設けられているので、目的に応じた性能の投影手段と撮影手段との選択が可能になり、必要に応じて投影手段と撮影手段とのコストを削減して、目的に応じた投影精度での投影と、目的に応じた撮影解像度での撮影とを行なうことが可能になり、テレビ会議システムに適用される場合にも、システムのコストを低減して、適確にテレビ会議を実行することが可能になる。
【００６３】
請求項５記載の発明によると、請求項１〜４の何れか１項記載の発明で得られる効果に加えて、撮影手段によって撮影を行う場合には、遮光制御手段によって投影手段の投影光の遮光で情報映像の投影が停止される。
【図面の簡単な説明】
【図１】本発明の第１の実施の形態の全体構成を示す斜視説明図である。
【図２】同実施の形態の内部構成を示す断面説明図である。
【図３】同実施の形態の構成を示すブロック図である。
【図４】内部照明を備えた同実施の形態の変形構成例を示す断面説明図である。
【図５】同実施の形態に使用される遮光板の構成を示す説明図である。
【図６】同実施の形態の表示・書込動作時における表示面の表示画像を示す動作説明図である。
【図７】同実施の形態の撮影動作を示すタイムチャートである。
【図８】同実施の形態の原稿読取り動作を示す説明図である。
【図９】同実施の形態の他の撮影動作を示すタイムチャートである。
【図１０】同実施の形態の所定間隔での撮影動作を示すタイムチャートである。
【図１１】同実施の形態のポインティング位置検出動作の説明図である。
【図１２】同実施の形態の被写体の撮影動作を示すタイムチャートである。
【図１３】本発明の第２の実施の形態の内部構成を示す断面説明図である。
【図１４】本発明の第３の実施の形態の内部構成を示す断面説明図である。
【図１５】本発明の第４の実施の形態の内部構成を示す断面説明図である。
【符号の説明】
１ 書込面
１１ プロジェクタ
１３ 透過型スクリーン
１４ 制御ユニット
１５ ＣＣＤカメラ
１７ 遮光板
２１ パーソナルコンピュータ
【図１】
0004533566.tif 000002
【図２】
0004533566.tif 000003
【図３】
0004533566.tif 000004
【図４】
0004533566.tif 000005
【図５】
0004533566.tif 000006
【図６】
0004533566.tif 000007
【図７】
0004533566.tif 000008
【図８】
0004533566.tif 000009
【図９】
0004533566.tif 000010
【図１０】
0004533566.tif 000011
【図１１】
0004533566.tif 000012
【図１２】
0004533566.tif 000013
【図１３】
0004533566.tif 000014
【図１４】
0004533566.tif 000015
【図１５】
0004533566.tif 000016